(57)【特許請求の範囲】
【請求項１】
複数のスイッチ要素部を有する内蔵スイッチと、前記内蔵スイッチを収容するスイッチケース及びスイッチカバーとを有して構成されるリミットスイッチであって、
前記スイッチケースに隔壁部を形成すると共に、該隔壁部を挟んだ両側に独立した状態で位置するスイッチ配置部を前記スイッチケースに設け、
前記スイッチ配置部のそれぞれに前記スイッチ要素部を配分設置し、前記スイッチ配置部のそれぞれを前記スイッチカバーで覆い前記スイッチ要素部を密閉しており、
更に、前記スイッチ要素部が、それぞれが固定接点を有する一方及び他方の固定端子と、一方及び他方の可動接点を有する可動片とを有して、前記一方の固定端子の前記固定接点と前記可動片の前記一方の可動接点とで一方の接点部を構成し、前記可動片の前記他方の可動接点と前記他方の固定端子の前記固定接点とで他方の接点部を構成し、且つ前記一方及び他方の接点部を開閉するスイッチプランジャを有しており、
前記固定端子に圧接接続によりリード線を接続すると共に、前記スイッチカバーの内面側に、前記リード線の圧接接続部を押圧する押圧手段を設けたことを特徴とするリミットスイッチ。
【請求項２】
前記スイッチ配置部に前記スイッチ要素部を複数配分設置した場合に、前記スイッチ要素部間を隔絶する接点遮蔽部を前記スイッチ配置部に設けられた請求項１記載のリミットスイッチ。
【請求項３】
前記スイッチプランジャを動作させるリンクプランジャを備える請求項１又は請求項２に記載のリミットスイッチ。
【請求項４】
前記スイッチケース及び前記スイッチカバーを収容してスイッチ本体部を構成する外部ケースに、前記リンクプランジャが移動する孔部を設けると共に、この孔部にシールキャップ保持部を設け、
前記リンクプランジャにプランジャ側係合部を設け、
前記シールキャップを、弾性材からなるキャップ本体の一端部に一方の係合部を、前記キャップ本体の他端部に他方の係合部をそれぞれ設けて、前記一方の係合部をＯリング構造にして構成し、
前記一方の係合部に前記プランジャ側係合部を係合して前記シールキャップに前記リンクプランジャを取付け、前記シールキャップの前記他方の係合部を前記シールキャップ保持部に係合することで、前記外部ケースに前記リンクプランジャを配置するようにした請求項３記載のリミットスイッチ。
【発明の詳細な説明】
【０００１】
【産業上の利用分野】
本発明は、物体検知等に用いられる、安全関連規格（耐電圧試験、電気的開閉試験、ケーブル強度試験など）を取得したセーフティリミットスイッチ等のリミットスイッチに関するものである。
【０００２】
【従来の技術】
従来のリミットスイッチとしては図２６に示すものがある。このリミットスイッチは、スイッチユニット１９０とヘッドユニット１９１とを有しており、このスイッチユニット１９０は、ケース１９２にプランジャ１９３を設けると共に、内蔵スイッチ１９４を内蔵して構成してあり、この内蔵スイッチ１９４において、スイッチプランジャ１９５が２つの可動片（図示せず）を保持しており、スイッチプランジャ１９５は、スイッチプランジャ収容部に復帰ばね（いずれも図示せず）により保持された状態で移動可能に収容されていて、可動片に設けた可動接点と固定端子の固定接点（いずれも図示せず）とで接点部を構成している。
【０００３】
また、ヘッドユニット１９１は、ヘッドケース１９６にロータリーシャフト１９７を回転可能に設け、このロータリーシャフト１９７の端部に、ローラ１９８を有するローラレバ−１９９を取付け、ロータリーシャフト１９７にカム部２００を設けた構成である。
【０００４】
そして、スイッチユニット１９０にヘッドユニット１９１を固定することで、プランジャ１９３をロータリーシャフト１９７のカム部２００に押し当てることでリミットスイッチが構成してある。
【０００５】
そして、ドッグ（図示せず）を移動して、このドッグにリミットスイッチのローラ１９８が接して、ローラレバ−１９９を倒しリミットスイッチを作動させるのであるが、このローラレバー１９９が倒されることによりロータリーシャフト１９７が回転しプランジャ１９３が押されて、内蔵スイッチ１９４のスイッチプランジャ１９５が押され、内蔵スイッチ１９４がスイッチング作動を行う。
【０００６】
【発明が解決しようとする課題】
しかしながら、従来のリミットスイッチにあっては、内蔵スイッチ１９４の回路数を増やすと、この内蔵スイッチ１９４の部品が多くなるし、または大きくなり、リミットスイッチ全体がサイズが大きくしなければならなかった。
【０００７】
また、全体がサイズアップしないように各部品を小型化し、また、スペースを小さくすると、安全関連規格（耐電圧試験、電気的開閉試験、ケーブル強度試験など）の取得が困難になるという問題点があった。
【０００８】
本発明は、上記の問題点に着目して成されたものであって、その目的とするところは、回路数を増やしても、全体のサイズアップを最小限に抑えることが可能で、しかも小型であっても安全関連規格を満足するリミットスイッチを提供することにある。
【００１７】
【課題を解決するための手段】
上記目的を達成するために、本発明に係るリミットスイッチは、複数のスイッチ要素部を有する内蔵スイッチと、内蔵スイッチを収容するスイッチケース及びスイッチカバーとを有して構成されるリミットスイッチであって、スイッチケースに隔壁部を形成すると共に、隔壁部を挟んだ両側に独立した状態で位置するスイッチ配置部をスイッチケースに設け、スイッチ配置部のそれぞれにスイッチ要素部を配分設置し、スイッチ配置部のそれぞれをスイッチカバーで覆いスイッチ要素部を密閉しており、更に、スイッチ要素部が、それぞれが固定接点を有する一方及び他方の固定端子と、一方及び他方の可動接点を有する可動片とを有して、一方の固定端子の固定接点と可動片の一方の可動接点とで一方の接点部を構成し、可動片の他方の可動接点と他方の固定端子の固定接点とで他方の接点部を構成し、且つ一方及び他方の接点部を開閉するスイッチプランジャを有しており、固定端子に圧接接続によりリード線を接続すると共に、スイッチカバーの内面側に、リード線の圧接接続部を押圧する押圧手段を設けたことを特徴とする。
【００１８】
かかる構成により、スイッチ配置部のそれぞれに内蔵スイッチのスイッチ要素部を配置し、スイッチ配置部のそれぞれをスイッチカバーで覆い、スイッチ要素部を密閉するようにしたことで、絶縁性が向上し、また、リード線の固定端子への接続を圧接接続にすることにより、ハンダを使用しないために環境に悪影響を及ぼすことがなく、また、組立工数を削減でき、更に、内蔵スイッチを、複数のスイッチ要素部を分けてスイッチ配置部のそれぞれに配置し、スイッチ要素部のそれぞれをスイッチカバーで覆う場合に、押圧手段でリード線の圧接接続部を押圧するために、リード線の圧接接続が確実なものにし、また、リード線の抜け防止を行うことが可能になり、また、組立工数が削減できる。なお、ここで、押圧手段とは、例えば、スイッチカバーの内面に突設した突起部である。
【００１９】
また、本発明に係るリミットスイッチは、上記した本発明に係るリミットスイッチにおいて、スイッチ配置部にスイッチ要素部を複数配分設置した場合に、スイッチ要素部間を隔絶する接点遮蔽部をスイッチ配置部に設けたものである。
【００２０】
かかる構成により、接点遮蔽部の存在により、一方のスイッチ要素部から他方のスイッチ要素部に、また逆に飛散物が飛散することが無く、絶縁性を向上させることができる。
【００２３】
また、本発明に係るリミットスイッチは、上記した本発明に係るリミットスイッチにおいて、内蔵スイッチを作動するプランジャ手段が、複数の内蔵スイッチのスイッチプランジャを動作させるリンクプランジャを備える。
【００２４】
かかる構成により、別部品としてのリンクプランジャによって、複数の内蔵スイッチのスイッチプランジャを動作することができて、内蔵スイッチのユニット化が可能になり、また、アクチュエータ形状に影響しないので、バリエーション展開が容易になる。
【００２５】
そして、ケース本体に、リンクプランジャが移動する孔部を設けると共に、この孔部にシールキャップ保持部を設け、リンクプランジャにプランジャ側係合部を設け、シールキャップを、弾性材からなるキャップ本体の一端部に一方の係合部を、キャップ本体の他端部に他方の係合部をそれぞれ設けて、一方の係合部をＯリング構造にして構成し、一方の係合部にプランジャ側係合部を係合してシールキャップにリンクプランジャを取付け、シールキャップの他方の係合部をシールキャップ保持部に係合することで、ケース本体にリンクプランジャを配置するようにすることが好ましい。
【００２６】
かかる構成により、シールキャップが０リングと同じ機能を果たすので、シール性が高くなるし、また、スイッチプランジャの動きに対してリンクプランジャの追従性が良好になる。
【００２９】
また、本発明に係るリミットスイッチは、上記した本発明に係るリミットスイッチにおいて、内部ケースを、少なくともスイッチケースと固定用ケースとで構成し、内蔵スイッチにケーブルのリード線を接続すると共に、ケーブルに、外周部にシールリング部を有するシール部材を装着し、固定用ケースにケーブル挿通孔を設け、このケーブル挿通孔にケーブルを挿通すると共に、シール部材を挿入し、固定用ケースに、２つ割り構成のシール保持部材を装着して、これらのシール保持部材でシールリング部を押圧してケーブルのシールを行うようにしたものである。
【００３０】
かかる構成により、シール部材のシールリング部が、例えば上下方向及び半径方向の２方向から圧縮されてシールを完全なものにすることができる。
【００３１】
なお、シール保持部材を、向かい合わせに取付けることにより、シール部材のシールリング部とその内側にあるケーブルを挟み込むようにすれば、ケーブル抜け強度を強くすることができるし、同じ部品である２つのシール保持部材を向かい合わせに２ケ組合わせて使用することにより、部品の種類を減らすことができる。
【００４１】
【発明の実施の形態】
以下、本発明の実施の形態を図面に基づいて説明する。
【００４２】
（実施の形態１）
本発明に係るリミットスイッチの実施の形態１を図１乃至図２１に示す。なお、説明の便宜上、上下方向、左右方向及び前後方向を図示のように設定する。
【００４３】
本発明の実施の形態１に係るリミットスイッチＳは、スイッチユニットＡとヘッドユニットＢとを組み合わせて構成してある。
【００４４】
スイッチユニットＡは、大別して、スイッチ本体である外部ケース１と、内蔵スイッチ３と、リンクプランジャ機構部４とで構成してある。
【００４５】
外部ケース１は、図４及び図５に示すように上面部１Ａと、前、後面部１Ｂ、１Ｃと、左、右面部１Ｄ、１Ｅとを有するボックス形状をしていて、下面が開放している。
【００４６】
そして、外部ケース１の上面部１Ａには、ヘッドユニット取付部１０とプランジャ装着部１１とが形成してある。このヘッドユニット取付部１０は、外部ケース１の前、後面部１Ｂ、１Ｃの上部の左右を切り欠くことで、外部ケース１の上部の左右の前後に嵌合凹部１２Ａ、１２Ｂと、これらの嵌合凹部１２Ａ、１２Ｂに挟まれた嵌合凸部１３とを形成して構成してあり、嵌合凸部１３には前後方向に抜ける貫通孔１４が、また、嵌合凸部１３の上面部１３ａにはねじ孔部１５がそれぞれ設けてある。
【００４７】
また、プランジャ装着部１１は、外部ケース１の上面部１Ａの中央部に、左右の嵌合凸部１３に挟まれた状態で形成された円形状の孔部１６を有しており、この孔部１６は、外部ケース１の内部空間Ｋの天井部の中央に開口している。そして、孔部１６内にはシールキャップ保持部１７が形成してある。
【００４８】
また、外部ケース１の右面部１Ｅの下縁部には切欠部よりなるケーブル導出部１８が形成してあり、また、外部ケース１の前、後面部１Ｂ、１Ｃの下部の左右にはピン取付孔部２０が設けてる。
【００４９】
リンクプランジャ機構部４は、図２に示すようにリンクプランジャ６１とシールキャップ６２とを有しており、リンクプランジャ６１は、図７に示すようにロッド状のプランジャ本体６１Ａの端部にプランジャ側係合部であるキャップ係合部６３を設けて構成してある。
【００５０】
また、シールキャップ６２は弾性体（例えばゴム）で作成してあり、図６に示すように略ドーム形状のキャップ本体６２Ａを有しており、このキャップ本体６２Ａの上部にはＯリング状の上側係合部（一方の係合部）６４Ａが、下部にはリング状の下側係合部（他方の係合部）６４Ｂがそれぞれ形成してある。
【００５１】
リンクプランジャ６１に、そのキャップ係合部６３に上側係合部６４Ａを係合してシールキャップ６２が取付けてあり、そして、図２に示すようにシールキャップ６２の下側係合部６４Ｂをプランジャ装着部１１内のシールキャップ保持部１７に係合することで、外部ケース１にリンクプランジャ６１が取付けてある。
【００５２】
内蔵スイッチ３を保持する内部ケース２は、スイッチケース２１と、２つのスイッチカバー５、６と、固定用ケース７とにより構成してある。
【００５３】
スイッチケース２１は、図８乃至図１１に示すように、プレート状のケース本体２２を有しており、このケース本体２２の面部が隔壁部２２Ｆを構成しており、この隔壁部２２Ｆを挟んだ表部と裏部にはスイッチ配置部２５、２５−１が形成してある。
【００５４】
これらのスイッチ配置部２５、２５−１には、後述するスイッチプランジャを収容するスイッチプランジャ収容部３２と、スイッチプランジャ収容部３２を挟んだ両側に設けられ且つ後述する固定端子を着脱可能に取付ける左右の固定端子取付部３２Ｌ−１、３２Ｒ−１と、左右の固定端子取付部３２Ｌ−１、３２Ｒ−１に沿わせて設けられ且つ固定端子に接続されるリード線のリード線を配置する左右のリード線配置部３２Ｌ−２、３２Ｒ−２と、後述する内蔵スイッチのスイッチ要素部を配置する上下のスイッチ要素収容部３２Ｆ、３２Ｇと、上下のスイッチ要素収容部３２Ｆ、３２Ｇを隔絶する接点遮蔽部３２Ｈとが形成してある。
【００５５】
すなわち、ケース本体２２には上面部２２Ａが形成してあり、この上面部２２Ａの中央部には切欠き部２６が、左右にはカバー係止突起部３５Ａがそれぞれ形成してある。また、ケース本体２２には下面部２２Ｂが形成してあり、この下面部２２Ｂの中央部には、この下面部２２Ｂより下方に突出するようにして袋状部２２Ｃが形成してある。この袋状部２２Ｃの底部にはばね受部４４Ａが設けてある。
【００５６】
そして、スイッチ配置部２５、２５−１には、左右の縦リブ２７、２８が平行して形成してある。縦リブ２７、２８には、ケース本体２２の中央に向かって横リブ２９、３０が形成してあり、上面部２２Ａと、横リブ２９、３０間の隙間３１と、袋状部２２Ｃとでスイッチプランジャ収容部３２が形成してある。この場合、上面部２２Ａの切欠き部２６の縁部はストッパー部２６Ａになっている。
【００５７】
そして、左右の縦リブ２７、２８の上部、中間部及び下部には端子挿入溝部３３、３４、３５が形成してあり、ケース本体２２には、縦リブ２７、２８の外方に位置させて、上部、中間部及び下部に端子係止部３６、３７、３８が形成してある。この場合、端子係止部３８は、他の端子係止部３６、３７とは向きが逆である。
【００５８】
そして、端子挿入溝部３３と端子係止部３６とは対になって上側の固定端子装着部３６−１を、端子挿入溝部３４と端子係止部３７とは対になって中間の固定端子装着部３６−２を、端子挿入溝部３５と端子係止部３８とは対になって下側の固定端子装着部３６−３をそれぞれ形成していて、これらの固定端子装着部３６−１、３６−２、３６−３のうち左側のものが左の固定端子取付部３２Ｌ−１を、右側のものが右の固定端子取付部３２Ｒ−１をそれぞれ構成している。
【００５９】
そして、ケース本体２２の左、右縁部には舌片部３９が形成してあり、この舌片部３９と左右の端子係止部３６、３７、３８との間が左右のリード線配置部３２Ｌ−２、３２Ｒ−２にしてある。また、下面部２２Ｂには、その左右にリード線導入部４０、４１が設けてあって、左のリード線導入部４０は左のリード線配置部３２Ｌ−２に、右のリード線導入部４１は右のリード線配置部３２Ｒ−２にそれぞれ通じている。
【００６０】
そして、端子挿入溝部３３と端子係止部３６とが対になった左右の上側の固定端子装着部３６−１が上側のスイッチ要素収容部３２Ｆを構成しており、端子挿入溝部３５と端子係止部３８とは対になった左右の下側の固定端子装着部３６−３（もしくは、端子挿入溝部３４と端子係止部３７とは対になった左右の中間の固定端子装着部３６−２）が下側のスイッチ要素収容部３２Ｇを構成している。
【００６１】
そして、横リブ２９、３０が上、下側のスイッチ要素収容部３２Ｆ、３２Ｇを隔絶する接点遮蔽部３２Ｈを構成している。
【００６２】
また、ケース本体２２の下面部２２Ｂにはアース線保持部５１が設けてある。このアース線保持部５１は、下面部２２Ｂに突設した突設部５２に、アース線挿入孔５３と、アース線からげ用切欠き部５４とを形成して構成してある。また、ケース本体２２の下面部２２Ｂの右部には半円形状の凹部５５と突起５５Ａとが形成してある。
【００６３】
また、上側の固定端子装着部３６−１、中間の固定端子装着部３６−２及び下側の固定端子装着部３６−３には固定端子が装着されるのであるが、２スイッチ要素部（２回路構成）であるために、上側の固定端子装着部３６−１と下側の固定端子装着部３６−３とに固定端子が装着されている。
【００６４】
この場合、左の上側の固定端子装着部３６−１に装着される固定端子４２Ｌと、右の下側の固定端子装着部３６−３に装着される固定端子４４Ｒとは同構成であり、これらの固定端子４２Ｒ、４４Ｌは、図１４に示すように基部に圧接接続部４２ｂ、４４ｂを、先側に固定接点４２ａ、４４ａをそれぞれ有している。
【００６５】
また、右の上側の固定端子装着部３６−１に装着される固定端子４２Ｒと、左の下側の固定端子装着部３６−３に装着される固定端子４４Ｌとは同構成であり、これらの固定端子４２Ｒ、４４Ｌは、固定端子４２Ｌ、４４Ｒを逆構成にしたものである。
【００６６】
そして、左右の上側の端子係止部３６には固定端子４２Ｌ、４２Ｒが係止してあり、固定端子４２Ｌ、４２Ｒの端部は、それぞれに端子挿入溝部３３に挿入してあって、固定端子４２Ｌ、４２Ｒは上側のスイッチ要素収容部３２Ｆに位置しており、また、下側の端子係止部３８には固定端子４４Ｌ、４４Ｒが係止してあり、固定端子４４Ｌ、４４Ｒの端部は、それぞれに端子挿入溝部３５に挿入してあって、下のスイッチ要素収容部３２Ｇ内に位置している。
【００６７】
一方及び他方のスイッチカバー５、６は、図１２に示すようにスイッチ配置部２５を覆う形状であり、そのプレート状のカバー本体５Ａの内面には、その左右には上部、中間部及び下部の押圧手段である圧接部押え用突起４５、４６、４７が設けてある。また、カバー本体５Ａの上縁部の中央部には舌片部４８が、また、左右には係止孔部４９Ａを有する係止片部４９がそれぞれ設けてある。、また、カバー本体５Ａの左、右縁部には舌片部５０が形成してあり、カバー本体５Ａの下縁部には突出部５Ｂが形成してある。
【００６８】
固定用ケース７は、図１３の（１）、（２）に示すように長方形状のケース本体７Ａを有しており、このケース本体７Ａの右側には外ケース係合プレート部５７Ａが形成してあり、この外ケース係合プレート部５７Ａには円環状のケーブル挿通保持部５７が設けてあり、ケーブル挿通保持部５７の端部には鍔部よりなるシール部材係止部５８が設けてある。また、ケーブル挿通保持部５７の上部には係止突起部６０Ｃが形成してあり、また、ケース本体７Ａの外面部（下面部）の左右にはピン当接部５９が形成してある。また、ケース本体７Ａの内面には、ケース嵌合部６０Ａとアース線押え突起部６０Ｂとが突設してある。
【００６９】
図２に示すようにケーブル８０にはゴム製のキャップ状のシール部材８１が設けてあり、このケーブル８０は固定用ケース７の円環状のケーブル挿通保持部５７に挿通してあり、シール部材８１がシール部材係止部５８に係止してある。
【００７０】
そして、図１４の（２）に示すようにケーブル８０の８本のリード線８０−１〜８０−８は左右に２等分されており、ケーブル８０の中心にはアース線８０−９が配置してある。そして、左の４本のリード線８０−１〜８０−４は、前後に２本づつ分けられた状態で左のリード線導入部４０から左のリード線配置部３２Ｌ−２に配線された後に、左の前後の固定端子４２Ｌ、４４Ｌの圧接接続部４２ｂ、４４ｂに圧接接続してある。
【００７１】
同様に、右の４本のリード線８０−５〜８０−８は、前後の２本づつ分けられた状態で右のリード線導入部４１から右のリード線配置部３２Ｒ−２に配線された後に、右の前後の固定端子４２Ｒ、４４Ｒの圧接接続部４２ｂ、４４ｂに圧接接続してある。
【００７２】
内蔵スイッチ３は固定端子４２Ｌ、４２Ｒ、４４Ｌ、４４Ｒと、スイッチプランジャ６６と、このスイッチプランジャ６６に保持用弾性部材である保持ばね７７Ａ、７７Ｂを介して保持され且つ可動接点６７ａ、６９ａを有する可動片６７、６９と、復帰用弾性部材である復帰ばね７７とで構成してある。
【００７３】
スイッチプランジャ６６は、図１５の（１）、（２）、（３）に示すようにプランジャ本体６６Ａを有しており、このプランジャ本体６６Ａの上部には接触部７８とストッパー部７９とが設けてあり、また、プランジャ本体６６Ａの両側面部には、その軸線方向に長い孔部７０、７１が上下に形成してあり、また、プランジャ本体６６Ａの前面部には孔部７０に通じる孔部７０Ａが形成してある。そして、上側の孔部７０の上、下端部にはガイド７２、７３が、下側の孔部７１の上、下端部にはガイド７４、７５がそれぞれ設けてあり、また、プランジャ本体６６Ａの下面部には復帰ばね挿入部７６が設けてある。
【００７４】
そして、上側の孔部７０には上側のガイド７２に上下動可能に可動片６７が設けてあって、この可動片６７は保持ばね７７Ａにより上方に付勢されている。また、下側の孔部７１には、その下側のガイド７５に上下動可能に可動片６９が設けてあり、可動片６９は、保持ばね７７により下方に付勢されている。
【００７５】
そして、上記のように構成されたスイッチプランジャ６６は、図２に示すようにその復帰ばね挿入部７６に復帰ばね７７を挿入した状態で、スイッチ配置部２５、２５−１のスイッチプランジャ収容部３２に上下方向に移動可能に収容してあり、また、復帰ばね７７は、スイッチプランジャ収容部３２の袋状部２２Ｃの底部のばね受部４４Ａに受けられている。
【００７６】
したがって、スイッチプランジャ６６は復帰ばね７７により上方に付勢されていて、スイッチプランジャ６６の上部の接触部７８はスイッチケース２１の切欠き部２６より上方に突出していて、スイッチプランジャ６６のストッパー部７９は、ケース本体２２の上面部２２Ａのストッパー部２６Ａに当接していて、可動片６７の左右の可動接点６７ａは、左右の固定端子４２Ｌ、４２Ｒの固定接点４２ａに接触し、ノーマルクローズ（ＮＣ）接点部を構成している。また、可動片６９の左右の可動接点６９ａは固定端子４４Ｌ、４４Ｒの固定接点４４ａから開離していて、ノーマルオープン（ＮＯ）接点部を構成している。
【００７７】
そして、左右の固定端子４２Ｌ、４２Ｒと、可動片６７と、ノーマルクローズ（ＮＣ）接点部とで、内蔵スイッチ３の上側のスイッチ要素部を構成しており、また、固定端子４４Ｌ、４４Ｒと、可動片６９とノーマルオープン（ＮＯ）接点部とで、内蔵スイッチ３の下側のスイッチ要素部を構成している。これらの上、下側のスイッチ要素部は、図３に示すように、スイッチケース２１の両面のスイッチ配置部２５、２５−１にそれぞれ設けてある。なお、ノーマル接点部は、図３に示すように、スイッチプランジャ６６が強制的に移動させられることで、強制的に開離が行われるものである。
【００７８】
そして、スイッチケース２１にスイッチカバー５、６を装着することで、スイッチ配置部２５、２５−１がスイッチカバー５、６により覆われている。この場合、スイッチカバー５、６の上縁部の中央の舌片部４８がスイッチケース２１の切欠き部２６に挿入してあり、また、左右の係止片部４９の係止孔部４９Ａが、スイッチケース２１のカバー係止突起部３５Ａに係脱可能に係止している。そして、スイッチカバー５、６の内面に設けられた上部及び下部の圧接部押え用突起４５、４７が固定端子４２、４４の圧接接続部４２ｂ、４４ｂに圧接接続されているリード線８０−１〜８０−８を押えている。
【００７９】
また、スイッチカバー５、６の左、右縁部の舌片部５０がスイッチケース２１の舌片部３９に噛み合わされていて、内蔵スイッチ３のスイッチ要素部を密閉している。
【００８０】
そして、スイッチケース２１のアース線保持部５１には、ケーブル８０のアース線（図示せず）がアース線挿入孔５３に挿入された後にアース線からげ用切欠き部５４にからげ接続してある。
【００８１】
そして、上記のようにスイッチカバー５、６を装着したスイッチケース２１の底部に固定用ケース７が組み付けてある。すなわち、固定用ケース７のケース嵌合部６０Ａに、スイッチケース２１の袋状部２２Ｃと、この袋状部２２Ｃを覆うスイッチカバー５、６の突出部５Ｂとを嵌合し、係止突起部６０Ｃをスイッチケース２１の係止孔部（図示せず）に係止して固定用ケース７が組み付けてある。
【００８２】
そして、上記のようにスイッチカバー５、６及び固定用ケース７を装着したスイッチケース２１は外部ケース１に収納されてスイッチユニットＡが構成されることになる。
【００８３】
すなわち、スイッチカバー５、６及び固定用ケース７を装着したスイッチケース２１を外部ケース１に収納した場合、スイッチプランジャ６６の上部の接触部７８は、外部ケース１のリンクプランジャ６１に下から接触している。また、外部ケース１の右面部１Ｅの下縁部のケーブル導出部１８には、固定用ケース７の係合プレート部５７Ａが係合しており、エンドキャップ８１の当接面部８１Ａが外部ケース１の右面部１Ｅに当接している(図２参照)。
【００８４】
そして、外部ケース１の前、後面部１Ｂ、１Ｃの下部に設けられた左右のピン取付孔部２０には保持ピン１２０が挿入されて、前、後面部１Ｂ、１Ｃに架けた状態になっていて、保持ピン１２０は、固定用ケース７の外面部（下面部）の左右のピン当接部５９に当接していて、保持ピン１２０が、スイッチカバー５、６及び固定用ケース７を装着したスイッチケース２１を外部ケース１に収納状態で保持している。
【００８５】
そして、アース線押え突起部６０Ｂが、アース線からげ用切欠き部５４にからげられたアース線８０−９を押えていて、アース線保持部５１の弾性でアース線８０−９を外部ケース１の内面に接触させている。
【００８６】
また、ケース本体２２の下面部２２Ｂに設けた円形状の凹部５５と固定用ケース７とで、この固定用ケース７のケーブル挿通保持部５７に挿通されたケーブル８０が挟まれていて、凹部５５に設けた突起５５Ａがケーブル８０を押し付けている。そして、外部ケース１の下面の開放口には封止用樹脂（接着剤）（図示せず）が充填してあり、防水処理がなされて、スイッチユニットＡが構成してある。この場合、突起５５Ａがケーブル８０を押し付けているために、封止用樹脂が内蔵スイッチ３側には流入しないようになる。
【００８７】
ヘッドユニットＢはヘッドケース９０を備えており、このヘッドケース９０は、図１６に示すように、そのケース本体９０Ａの上部にシャフト支承部９１が、その下部に被嵌部９２がそれぞれ形成してある。シャフト支承部９１の端面部にはストッパー部９３が形成してあり、また、シャフト支承部９１の周部には被嵌部９２に抜ける孔部９４が設けてある。
【００８８】
また、ヘッドケース９０の外面部に、色分け、または凹凸形状により２種類のセットゾーンＺ１、Ｚ２が設けてある。
【００８９】
被嵌部９２は、その左右に被せ部９５を有しており、これらの被せ部９５は、その中央部に長方形状の切欠き部９６が形成してあって、この切欠き部９６を挟んだ前後に位置する脚状部９７、９８を有しており、これらの脚状部９７、９８には半円形状の切欠き部９９と半円形状のねじ部材受部１００とが形成してある。そして、これらの脚状部９７、９８に形成された切欠き部９９とねじ部材受部１００とで取付部Ｕを構成している。また、被せ部９５の両肩部には切欠き部９６に抜ける孔部１０１が設けてある。
【００９０】
そして、ヘッドケース９０にはアクチュエータＦが設けてある。アクチュエータＦは、図１７に示すロータリーシャフト１０２を備えており、このロータリーシャフト１０２はシャフト支承部９１に回転可能に挿入してある。このロータリーシャフト１０２の後端部には半円形状のストッパー部１０２Ａが形成してあり、また、ロータリーシャフト１０２の周部には凹部からなるカム部１０２Ｂが形成してあり、また、ロータリーシャフト１０２の先端部には、多数の歯部を有するシャフト側ローレット部１０３が形成してあり、また、ロータリーシャフト１０２の先端面部にはねじ孔１０３Ａが設けてある。また、ロータリーシャフト１０２にはセットゾーン指示針Ｐが設けてある。
【００９１】
また、ロータリーシャフト１０２の先端部にはレバー角度調整部材１０４が配置してある。このレバー角度調整部材１０４は、図１８の（１）、（２）に示すようにその内面部にシャフト嵌合凹部１０５を有しており、このシャフト嵌合凹部１０５の周壁部には、対向する位置に部材側ローレット部１０６が形成してある。また、レバー角度調整部材１０４の外面部にはその周部に対向する一対のレバー保持部１０７が設けてあり、これらのレバー保持部１０７の対向部には部材側噛合歯部１０８が形成してある。また、レバー角度調整部材１０４の中央部には孔部１０９が形成してあり、レバー角度調整部材１０４の外面部には孔部１０９を挟んだ上下に突起１１０Ａ、１１０Ｂが設けてある。
【００９２】
レバー１１１は、図２に示すように、その基部にねじ用孔部１１２と、係合孔部１１３Ａ、１１３Ｂとを有し、その上端部にローラ１１４を軸支している。
【００９３】
そして、ロータリーシャフト１０２の先端部に、そのシャフト側ローレット部１０３に部材側ローレット部１０６を噛み合わせてレバー角度調整部材１０４を添わせ、レバー角度調整部材１０４の外面部に、突起１１０Ａ、１１０Ｂを係合孔部１１３Ａ、１１３Ｂに挿入させてレバー１１１を添わせ、取付ねじ部材１１５−１を、レバー１１１のねじ用孔部１１２、レバー角度調整部材１０４の孔部１０９に挿入した後に、ロータリーシャフト１０２の先端面部のねじ孔１０３Ａに螺合して、この取付ねじ部材１１５−１を締め付けることで、ロータリーシャフト１０２の先端部に、ローラ１１４を有するレバー１１１が取付けてある。ローラ１１４には複数の孔部１１４Ａが形成してある。
【００９４】
また、ヘッドケース９０の、シャフト支承部９１の周部から被嵌部９２に抜ける孔部９４には可動部材１１５が摺動可能に挿入してあり、この可動部材１１５の上部は、ロータリーシャフト１０２のカム部１０２Ｂに挿入してある。
【００９５】
この可動部材１１５は、図１９に示すように孔部９４の横断面に相似した横断面を有する部材本体１１５Ａを有しており、この部材本体１１５Ａの上端部には凸部１１６Ａが設けてあり、下端部には鍔状部１１６Ｂが形成してある。また、部材本体１１５Ａの下端面の中央にはプランジャ挿入部（図示せず）が形成してあり、部材本体１１５Ａの側面部には爪部１１７が設けてある。
【００９６】
そして、可動部材１１５が孔部９４に挿入された状態では、爪部１１７はその弾性で孔部９４の周面に当接して、抜けの防止とガタツキを防止している。
【００９７】
次に、上記のように構成されたヘッドユニットＢのスイッチユニットＡの組み付けを説明する。
【００９８】
ヘッドユニットＢの被嵌部９２を、スイッチユニットＡの外部ケース１の上部のヘッドユニット取付部１０に被嵌する。すなわち、被嵌部９２の左右に被せ部９５に設けた切欠き部９６に、外部ケース１の上部の左右の嵌合凸部１３を挿入し、外部ケース１の上部の左右の嵌合凹部１２Ａ、１２Ｂに、左右の被せ部９５の前後に位置する脚状部９７、９８を挿入する。そして、被せ部９５の両肩部の孔部１０１にねじ部材１２３を挿入して嵌合凸部１３の上面に設けたねじ孔部１５に螺合することで、ヘッドユニットＢがスイッチユニットＡに組み付けてある。
【００９９】
この場合、被嵌部９２の取付部Ｕの切欠き部９９とねじ部材受部１００とは外部ケース１の貫通孔１４の外方に位置するようになるし、外部ケース１のプランジャ装着部１１にシールキャップ６２を介して取付けられたリンクプランジャ６１が可動部材１１５の下端面のプランジャ挿入部に挿入される。
【０１００】
したがって、内蔵スイッチ３の復帰ばね７７のばね力が、スイッチプランジャ６６及びリンクプランジャ６１を介して可動部材１１５を押し上げていて、この可動部材１１５の上端部の凸部１１６Ａをロータリーシャフト１０２に設けたカム部１０２Ｂに当接させている。
【０１０１】
次に、上記のように構成されたリミットスイッチＳの取付相手部材（取付相手）への取付と作動を説明する。
【０１０２】
上記したようにヘッドユニットＢの被嵌部９２をスイッチユニットＡの外部ケース１のヘッドユニット取付部１０に被嵌し、ヘッドユニットＢをスイッチユニットＡに組み付け固定した場合には、被嵌部９２の取付部Ｕの切欠き部９９とねじ部材受部１００とが外部ケース１の貫通孔１４の外方に位置している。
【０１０３】
したがって、リミットスイッチＳを取付相手部材に取付けるには、図２に示すように、取付用ねじ部材Ｎを外部ケース１の貫通孔１４に貫通させて、取付相手部材に設けたねじ孔（いずれも図示せず）に螺合し、取付用ねじ部材Ｎを締め付けることで行われる。
【０１０４】
この場合、取付用ねじ部材Ｎの頭部Ｎ−１は、被嵌部９２の取付部Ｕのねじ部材受部１００に当たり、また、取付相手部材には被嵌部９２の裏側が直接に（もしくはスペーサがある場合にはスペーサに）当接する。
【０１０５】
また、リミットスイッチＳの作動としては、移動体（ドッグ）が移動して、アクチュエータＦのローラ１１４に接触すると、レバー１１１が傾動してロータリーシャフト１０２が回転し、このロータリーシャフト１０２のカム部１０２Ｂに当接している可動部材１１５が復帰ばね７７のばね力に抗して押し下げられる。
【０１０６】
このために、図３に示すように、リンクプランジャ６１を介してスイッチプランジャ６６が押し下げられて、可動片６７の可動接点６７ａが固定端子４２の固定接点４２ａから開離し、可動片６９の可動接点６９ａが固定端子４４の固定接点４４ａに接触してスイッチの切替えが行われる。
【０１０７】
上記の実施の形態１によれば、スイッチケース２１の表裏にスイッチ配置部２５、２５−１をそれぞれ設け、これらのスイッチ配置部２５、２５−１のそれぞれに内蔵スイッチ３のスイッチ要素部を配置するようにしたことにより、例えば、スイッチ要素部として互いに独立して４回路を持つスイッチ構成の場合、２回路づつをスイッチケース２１の表裏に配置することで４回路が構成できる。このために、特に高さ寸法の小さい小型のリミットスイッチＳを実現することができる。
【０１０８】
また、上記の実施の形態１によれば、内部ケース２を、少なくともスイッチケース２１とスイッチカバー５、６とで構成し、スイッチケース２１の表裏にスイッチ配置部２５、２５−１を設け、スイッチ配置部２５、２５−１のそれぞれに内蔵スイッチ３のスイッチ要素部を配置し、スイッチ要素部のそれぞれをスイッチカバー５、６で覆いスイッチ要素部を密閉するようにしたために、絶縁性が向上する。
【０１０９】
また、上記の実施の形態１によれば、図２０の（１）、（２）に示すように、固定端子４４Ｌ、４４Ｒを外して、固定端子４２Ｌ、４２Ｒと同じ構成の固定端子４２Ｌー１、４２Ｒー１を中間の固定端子装着部３６−２に着脱可能に装着する。そして、スイッチプランジャ６６において、可動片６７はそのままにして、可動片６９をガイド７４に設けて、この可動片６９を保持ばね７７Ｂで上方に付勢することで、この可動片６９の位置を変え、このスイッチプランジャ６６を、その復帰ばね挿入部７６に復帰ばね７７を挿入した状態で、スイッチ配置部２５、２５−１のスイッチプランジャ収容部３２に上下方向に移動可能に収容することで、図２１の（２）に示すように、２回路共にノーマルクローズ（ＮＣ）接点部にすることができる。
【０１１０】
このように、部品変更無しで、固定端子、可動片の位置を変更するだけで、接点部の構成を変えることができ、しかも、接点部の構成のバリエーション展開が多くなるし、接点部の構成の変更が容易になる。しかも、共通部品を使用しているので、接点部の構成のバリエーションを増やしてもコストがかからない。
【０１１１】
また、上記の実施の形態１によれば、内部ケース２に、リンクプランジャ６１が移動する孔部１６を設けると共に、この孔部１６にシールキャップ保持部１７を設け、リンクプランジャ６１にプランジャ側係合部であるキャップ係合部６３を設け、シールキャップ６２を、弾性材からなるキャップ本体６２Ａの一端部に上側係合部６４Ａを、キャップ本体６２Ａの他端部に下側係合部６４Ｂをそれぞれ設けて、上側係合部６４ＡをＯリング構造にして構成し、キャップ係合凹部６３に上側係合部６４Ａを係合してシールキャップ６２にリンクプランジャ６１を取付け、シールキャップ６２の下側係合部６４Ｂをシールキャップ保持部１７に係合することで、内部ケース２にリンクプランジャ６１を取付けるようにしたことにより、別部品としてのリンクプランジャ６１によって、内蔵スイッチ３のスイッチプランジャ６６を動作することができて、スイッチ部のユニット化が可能になり、また、アクチュエータ形状に影響しないので、バリエーション展開が容易になる。また、シールキャップ６２が０リングと同じ機能を果たすので、シール性が高くなるし、また、スイッチプランジャ６６の動きに対してリンクプランジャ６１の追従性が良好になる。
【０１１２】
また、スイッチケース２１に設けたアース線保持部５１にアース線８０−９を接続し、このアース線保持部５１のばね性を利用して、アース線８０−９を外部ケース１側に押し付けることにより、アースを確保する構造としたので、ピンなどのアース圧着用別部品が不要になるし、また、外部ケース１にアース圧着部に穴をあける、タップをたてるなどの加工が不要なので形状が単純になる。
【０１１３】
また、スイッチケース２１と固定側ケース７とでケーブル８０を挟み込むことにより、接着剤の内蔵スイッチ３側への流入を防ぐことができるので、接着剤流入防止用のゴムなどの別部品および別工程が不要になるし、また、ケーブル８０を固定する部品が不要になる。また、ケーブル８０を挟み込む力に接着力が加算されるためにケープル８０の抜け強度を強くすることができる。また、ケーブル８０をスイッチケース２１の凸部５５Ａにより曲げた状態で接着剤を固める構造としたので、ケーブル８０の抜け強度を強くすることができる。
【０１１４】
また、固定端子４２Ｌ、４２Ｒ、４４Ｌ、４４Ｒに圧接接続部４２ｂ、４４ｂを設け、リード線８０−１〜８０−８を圧接方式で配線する構造としたので、従来のように半田を使わないので環境にやさしくなり、また、組立工数が削減できる。
【０１１５】
また、スイッチカバー５、６に押圧手段としてのリード線圧接用突起部４５、４６、４７を設け、スイッチカバー５、６を閉じることにより、リード線８０−１〜８０−８をリード線圧接用突起部４５、４６、４７で押える構造としたので、組立工数が削減できるし、また、振動や衝撃で圧接が外れるのを防ぐことができる。
【０１１６】
また、リード線８０−１〜８０−８をケーブル８０内で左右対称に配置する構造としたので、多接点になってもリード線配線の無駄がなくなるのでスイッチを小型化できるし、また、リード線８０−１〜８０−８の引き回しが簡単になるので組立性が向上する。
【０１１７】
(実施の形態２)
次に本発明に係るリミットスイッチの実施の形態２を図２２乃至図２５に示す。このリミットスイッチＳ１は、上記したリミットスイッチＳにおいて、ケーブル８０の取出しをスイッチユニットＢの下面側から行うようにしたものであり、固定用ケース７に代えて、固定用ケース１３５が用いられている。
【０１１８】
固定用ケース１３５は、図２３に示すように長方形状のケース本体１３５Ａを有しており、このケース本体１３５Ａの右側には閉鎖プレート部１３６が形成してあり、ケース本体１３５Ａの内面には、ケース嵌合部１３７と押え突起部(図示せず)とが設けてある。
【０１１９】
また、ケース本体１３５Ａの外面部（下面部）の中央部には四角柱状の突出部１３８が形成してある。そして、ケース本体１３５Ａの内面から突出部１３８の下面にかけてケーブル導出孔１３９が形成してあり、このケーブル導出孔１３９の下部はシール部材挿入部１４０にしてある。また、ケース本体１３５Ａの外面部（下面部）の左右にはピン当接部１４１が形成してある。そして、突出部１３８の左右には前後に抜けるピン挿入孔１４２が設けてある。
【０１２０】
そして、スイッチカバー５、６を装着したスイッチケース２１の底部に固定用ケース１３５が組み付けてある。すなわち、固定用ケース１３５のケース嵌合部１３６に、スイッチケース２１の袋状部２２Ｃと、この袋状部２２Ｃを覆うスイッチカバー５、６の突出部５Ｂ、６Ｂとを嵌合し、固定用ケース１３５が組み付けてある。
【０１２１】
そして、上記のようにスイッチカバー５、６及び固定用ケース１３５を装着したスイッチケース２１は外部ケース１に収納されている。すなわち、スイッチカバー５、６及び固定用ケース１３５を装着したスイッチケース２１を外部ケース１に収納した場合、外部ケース１の右面部１Ｅの下縁部のケーブル導出部１８には、固定用ケース１３５の閉鎖プレート部１３６で塞がれる。
【０１２２】
そして、外部ケース１の前、後面部１Ｂ、１Ｃの下部に設けられた左右のピン取付孔部２０には保持ピン１２０を挿入して、前、後面部１Ｂ、１Ｃに架けた状態になっていて、保持ピン１２０は、固定用ケース１３５の外面部（下面部）の左右のピン当接部１４１に当接していて、保持ピン１２０が、ケースカバー５、６及び固定用ケース１３５を装着したスイッチケース２１を収納状態で保持している。
【０１２３】
そして、固定用ケース１３５の突出部１３８は外部ケース１外に突出していて、ケーブル導出孔１３９のシール部材挿入部１４０には、ケーブル８０を挿通したキャップ状のシール部材１４３が挿入してある。このシール部材１４３の外周部にはシールリング部１４３Ａが形成してある。
【０１２４】
図２５にシール保持部材１４５、１４６を示す。シール保持部材１４５、１４６は、その面部１８０の両側縁部に折曲げ部１８１、１８２を形成して、一方の折曲げ部１８１に切込み部１８３を形成し、他方の折曲げ部１８２に突片部１８４を形成して、一方及び他方の折曲げ部１８１、１８２にピン孔部１８５、１８６を設け、面部１８０に略半円形状のシール挿入部１８７を設けた構成である。
【０１２５】
そして、突出部１３８に、シール保持部材１４５、１４６を、突片部１８４が切込み部１８３に入るようにして、左右から沿わせて、ピン孔部１８５、１８６からピン挿入孔１４２に保持ピン１４７を挿入してシール保持部材１４５、１４６が突出部１３８に取付けてある。
【０１２６】
この場合、図２３に示すように、シール挿入部１８７にシール部材１４３が挟まれて、シール挿入部１８７を形成した面部１８０によりシール部材１４３のシールリング部１４３Ａが上下方向及び半径方向の２方向から圧縮されてシールを完全なものにしている。
【０１２７】
なお、リミットスイッチＳ１の他の構成は、上記した本発明のリミットスイッチＳの構成と同じであるために説明を省略する。
【０１２８】
上記したように、シール保持部材１４５、１４６を向かい合わせに取付けることにより、シール部材１４３のシールリング部１４３Ａとその内側にあるケーブル８０を挟み込む構造としたので、ケーブル抜け強度を強くすることができるし、同じ部品であるシール保持部材１４５、１４６を向かい合わせに２ケ組合わせて使用することにより、部品の種類を減らすことができる。
【０１２９】
また、上記したヘッドユニットＢにおいて、図１６に示すようにヘッドケースの外面部に、２種類のセットゾーンＺ１、Ｚ２が表示してあり、図１７に示すようにロータリーシャフト１０２にセットゾーン指示針Ｐが設けてあるために、動作特性の異なる２種類の内蔵スイッチ３に対して、セットゾーンＺ１、Ｚ２を使い分けることができる。
【０１３０】
この場合、動作特性の異なる２種類の内蔵スイッチ３に対して、へッドユニットＢは１種しか必要ないのでコスト安になる。
【０１３１】
【発明の効果】
以上説明したように、本発明に係るリミットスイッチによれば、内蔵スイッチを、その複数のスイッチ要素部に分けた状態で、スイッチ配置部のそれぞれに配置されるために、スイッチ要素部の数を増やしつつも、高さ寸法の小さく、安全関連規格を満足する小型のリミットスイッチを実現することができる。
【図面の簡単な説明】
【図１】本発明に係るリミットスイッチの実施の形態１の正面図である。
【図２】同リミットスイッチの一部破断した斜視図である。
【図３】同リミットスイッチのスイッチユニットにおける内蔵スイッチの正面図である。
【図４】同スイッチユニットにおける外部ケースの斜視図である。
【図５】（１）は図４のＸ−Ｘ線に沿う断面図である。
（２）は図４のＹ−Ｙ線に沿う断面図である。
【図６】シールキャップの一部破断した斜視図である。
【図７】リンクプランジャの斜視図である。
【図８】スイッチユニットにおけるスイッチケースの正面図である。
【図９】同スイッチケースの側面図である。
【図１０】同スイッチケースを右上から見た斜視図である。
【図１１】同スイッチケースを左下から見た斜視図である。
【図１２】スイッチユニットにおけるスイッチカバーの内側から見た斜視図である。
【図１３】（１）はスイッチユニットにおける固定用ケースの正面図である。
（２）は同固定用ケースの平面図である。
【図１４】（１）は固定端子の斜視図である。
（２）はケーブルの断面図である。
【図１５】（１）はスイッチプランジャの平面図である。
（２）は同スイッチプランジャの正面図である。
（３）は同スイッチプランジャの側面図である。
【図１６】ヘッドユニットにおけるヘッドケースの斜視図である。
【図１７】ヘッドユニットにおけるロータリーシャフトの斜視図である。
【図１８】（１）はヘッドユニットにおけるレバー角度調整部材の外面図である。
（２）は同レバー角度調整部材の内面図である。
【図１９】ヘッドユニットにおける可動部材の斜視図である。
【図２０】（１）は可動片を付け替えたスイッチプランジャの正面図である。
（２）は同スイッチプランジャの側面図である。
【図２１】（１）はノーマルオープン接点とノーマルクローズ接点とを有する接点構成の説明図である。
（２）は２回路共に、ノーマルクローズ接点を有する接点構成の説明図である。
【図２２】本発明に係るリミットスイッチの実施の形態２の正面図である。
【図２３】同リミットスイッチの固定用ケースの縦断面図である。
【図２４】同固定用ケースの取付状態の斜視図である。
【図２５】同固定用ケースにおけるシール保持部材の斜視図である。
【図２６】従来のリミットスイッチの縦断面図である。
【符号の説明】
Ａ        スイッチユニット
Ｂ        ヘッドユニット
Ｆ        アクチュエータ
Ｎ        取付用ねじ部材
Ｕ        取付部
Ｓ        リミットスイッチ
Ｓ２      リミットスイッチ
１        外部ケース
２        内部ケース
３        内蔵スイッチ
４        リンクプランジャ機構部
５        スイッチカバー
６        スイッチカバー
７        固定用ケース
１０      ヘッドユニット嵌合取付部
１１      プランジャ装着部
１２Ａ    嵌合凹部
１２Ｂ    嵌合凹部
１３      嵌合凸部
１４      貫通孔
１５      ねじ孔部
１６      孔部
１７      シールキャップ保持部
１８      ケーブル導出部
２０      ピン取付孔
２１      スイッチケース
２２      ケース本体
２２Ｃ    袋状部
２５      スイッチ配置部
２５−１  スイッチ配置部
２６      切欠き部
２６Ａ    ストッパー部
２７      縦リブ
２８      縦リブ
２９      横リブ
３０      横リブ
３１      隙間
３２      スイッチプランジャ収容部
３３、３４、３５  端子挿入溝部
３６、３７、３８  端子係止部
３５Ａ      カバー係止突起部
３９        舌片部
４０、４１  リード線導入部
４２Ｌ、４２Ｒ  固定端子
４２ａ、４４ａ    固定接点
４２ｂ、４４ｂ    圧接接続部
４４Ｌ、４２Ｒ    固定端子
４４Ａ    ばね受部
４５、４６、４７      圧接部押え用突起部（押圧手段）
４８      舌片部
４９      係止片部
５０      舌片部
５１      アース線保持部
５２      突設部
５３      アース線挿入孔
５４      アース線からげ用切欠き部
５５      凹部
５５Ａ    突起
５７      ケーブル挿通保持部
５７Ａ    外部ケース係合プレート部
５８      シール部材係止部
５９      ピン当接部
６０Ａ    ケース嵌合部
６０Ｂ    アース線押え突起部
６０Ｃ    係止突起部
６１      リンクプランジャ
６２      シールキャップ
６３      キャップ係合部（プランジャ側係合部）
６４Ａ    上側係合部（一方の係合部）
６４Ｂ    下側係合部（他方の係合部）
６６      スイッチプランジャ
６７      可動片
６９      可動片
６７ａ、６９ａ  可動接点
７０      孔部
７１      孔部
７２      ガイド
７３      ガイド
７４      ガイド
７５      ガイド
７６      復帰ばね挿入部
７７Ａ    保持ばね
７７Ｂ    保持ばね
７８      接触部
７９      ストッパー部
８０      ケーブル
８０−１〜８０−８  リード線
８０−９  アース線
８１      シール部材
９０      ヘッドケース
９１      シャフト支承部
９２      被嵌部
９３      ストッパー部
９４      孔部
９５      被せ部
９６      切欠き部
９７      脚状部
９８      脚状部
９９      切欠き部
１００    受部
１０１    孔部
１０２    ロータリーシャフト
１０２Ａ  ストッパー部
１０２Ｂ  カム部
１０３    シャフト側ローレット部
１０３Ａ  ねじ孔
１０４    レバー角度調整部材
１０５    シャフト嵌合凹部
１０６    部材側ローレット部
１０７    レバー保持部
１０８    部材側噛合歯部
１０９    孔部
１１０Ａ  突起
１１０Ｂ  突起
１１１    レバー
１１２    ねじ用孔部
１１３Ａ  係合孔部
１１３Ｂ  係合孔部
１１４    ローラ
１１５    可動部材
１１６Ａ  凸部
１１６Ｂ  鍔状部
１１７    爪部
１２０    保持ピン
１２３    ねじ部材
【図１】
0003835209.tif 000002
【図２】
0003835209.tif 000003
【図３】
0003835209.tif 000004
【図４】
0003835209.tif 000005
【図５】
0003835209.tif 000006
【図６】
0003835209.tif 000007
【図７】
0003835209.tif 000008
【図８】
0003835209.tif 000009
【図９】
0003835209.tif 000010
【図１０】
0003835209.tif 000011
【図１１】
0003835209.tif 000012
【図１２】
0003835209.tif 000013
【図１３】
0003835209.tif 000014
【図１４】
0003835209.tif 000015
【図１５】
0003835209.tif 000016
【図１６】
0003835209.tif 000017
【図１７】
0003835209.tif 000018
【図１８】
0003835209.tif 000019
【図１９】
0003835209.tif 000020
【図２０】
0003835209.tif 000021
【図２１】
0003835209.tif 000022
【図２２】
0003835209.tif 000023
【図２３】
0003835209.tif 000024
【図２４】
0003835209.tif 000025
【図２５】
0003835209.tif 000026
【図２６】
0003835209.tif 000027